(57)【要約】【課題】２つの異なるユニット間の親和性を高め、第１の映像生成ユニットを操作することによって両者を連携して動作させ、両ユニットそれぞれにおいて生成した映像を単一の表示装置に同時表示することができる映像表示装置を提供する。【解決手段】ＰＣ内蔵テレビ１におけるＴＶユニット１０は、ＰＣユニット２０に対してＰＣ映像の取得要求を出力する制御情報通信部１８と、当該取得要求を受け付けたＰＣユニット２０から出力されるＰＣ映像を取得するコンテンツ受信部１６と、取得したＰＣ映像および自ユニットにおいて生成したＴＶ映像を含む表示用映像を、ＰＣ映像における表示情報を含む表示関連情報に基づいて生成するコンテンツ合成部１４と、生成した表示用映像をディスプレイ２に出力する映像出力部１１と、を備えている。【選択図】図１
2010258707.tif 000002
【特許請求の範囲】
【請求項１】
第１の映像を生成する第１の映像生成ユニットと、第２の映像を生成する第２の映像生成ユニットとを備えた映像表示装置であって、
上記第１の映像生成ユニットが、
上記第２の映像生成ユニットに対して第２の映像の取得要求を送信する通信手段と、
上記通信手段から送信した取得要求を受信した第２の映像生成ユニットから送信される第２の映像を取得する映像取得手段と、
上記映像取得手段において取得した第２の映像および自ユニットにおいて生成した第１の映像を含む表示用映像を、当該第２の映像の表示レイアウトを指定するレイアウト情報を含む表示関連情報に基づいて生成する生成手段と、
上記生成手段において生成した表示用映像を表示部に表示する表示制御手段と、
を備えていることを特徴とする映像表示装置。
【請求項２】
上記表示関連情報は、上記表示用映像における第２の映像の表示サイズを指定するサイズ指定情報を上記レイアウト情報として含み、
上記通信手段は、第２の映像および当該第２の映像の表示関連情報の取得要求を送信すると共に、当該取得要求を受信した第２の映像生成ユニットから送信される表示関連情報を受信し、
上記生成手段は、取得した第２の映像を、上記通信手段において受信した表示関連情報に含まれるサイズ指定情報により指定される表示サイズにスケーリング処理し、スケーリング処理した上記第２の映像を上記第１の映像に合成することにより表示用映像を生成することを特徴とする請求項１に記載の映像表示装置。
【請求項３】
上記第１の映像は、上記サイズ指定情報により指定される表示サイズに応じて、上記表示用映像上において上記第２の映像に重ならない表示サイズに縮小されていることを特徴とする請求項２に記載の映像表示装置。
【請求項４】
上記表示関連情報は、上記表示用映像における第２の映像の表示位置を指定する位置指定情報および表示サイズを指定するサイズ指定情報を上記レイアウト情報として含み、かつ、情報入力デバイスを用いてユーザにより上記第１の映像生成ユニットに入力され、
上記生成手段は、取得した第２の映像を上記表示関連情報に含まれるサイズ指定情報により指定される表示サイズにスケーリング処理すると共に、スケーリング処理した上記第２の映像を上記レイアウト情報に含まれる位置指定情報により指定される表示位置に配置した表示用映像を生成することを特徴とする請求項１に記載の映像表示装置。
【請求項５】
上記表示関連情報は、第２の映像上の領域を指定する領域指定情報を上記レイアウト情報として含み、
上記通信手段は、第２の映像および当該第２の映像の表示関連情報の取得要求を送信すると共に、当該取得要求を受信した第２の映像生成ユニットから送信される表示関連情報を受信し、
上記生成手段は、取得した第２の映像のうち、当該第２の映像上の領域であって、上記通信手段において受信した表示関連情報に含まれる領域指定情報により指定される領域に示される映像を合成用映像として設定し、設定した合成用映像を上記第１の映像に合成することにより表示用映像を生成することを特徴とする請求項１または２に記載の映像表示装置。
【請求項６】
上記第２の映像生成ユニットは、アプリケーションを実行する実行手段を備えており、
上記表示関連情報は、上記レイアウト情報に加えて、上記実行手段において実行されているアプリケーションにより、上記第２の映像の一部として生成されるウィンドウのうち、ユーザーにより指定された指定ウィンドウの表示位置および表示サイズを示すウィンドウ配置情報をさらに含み、
上記通信手段は、第２の映像および当該第２の映像の表示関連情報の取得要求を送信すると共に、当該取得要求を受信した上記第２の映像生成ユニットから送信される表示関連情報を受信し、
上記生成手段は、上記通信手段において受信した表示関連情報に含まれるウィンドウ配置情報より示される上記指定ウィンドウの表示位置および表示サイズに基づいて、上記第１の映像の表示位置を、取得した第２の映像上の上記指定ウィンドウの表示されていない領域に配置した表示用映像を生成することを特徴とする請求項１に記載の映像表示装置。
【請求項７】
上記第２の映像生成ユニットは、外部からデータを取得するデータ取得手段を備えており、
上記表示関連情報は、上記レイアウト情報に加えて、上記データ取得手段において外部からデータを取得中であることを示すデータ取得情報をさらに含み、
上記通信手段は、第２の映像および上記表示関連情報の取得要求を送信すると共に、当該取得要求を受信した上記第２の映像生成ユニットから送信される表示関連情報を受信し、
上記生成手段は、上記通信手段において受信した表示関連情報に含まれるデータ取得情報に基づいて生成した第１の映像を、取得した第２の映像に合成することにより表示用映像を生成することを特徴とする請求項１に記載の映像表示装置。
【請求項８】
上記第１の映像は、上記生成手段において生成する表示用映像の表示形態の変更処理を指定する情報を表すメニュー映像を含むことを特徴とする請求項１から７のいずれか１項に記載の映像表示装置。
【請求項９】
上記第１の映像生成ユニットは、アンテナを通じて放送波を受信する放送波受信手段をさらに備えており、
上記第１の映像は、上記放送波受信手段において受信した放送波をデコードすることにより生成されることを特徴とする請求項１から８のいずれか１項に記載の映像表示装置。
【請求項１０】
上記第２の映像生成ユニットは、アプリケーションを実行する実行手段を備えており、
上記第２の映像は、上記実行手段においてアプリケーションを実行する際に生成されることを特徴とする請求項１から９のいずれか１項に記載の映像表示装置。
【請求項１１】
第１の映像を生成する第１の映像生成ユニットと、第２の映像を生成する第２の映像生成ユニットとを備えた映像表示装置における映像表示方法であって、
上記第１の映像生成ユニットから第２の映像生成ユニットに対して第２の映像の取得要求を送信する通信ステップと、
上記通信ステップにおいて上記第１の映像生成ユニットから送信した取得要求を受信した第２の映像生成ユニットから送信される第２の映像を、上記第１の映像生成ユニットが取得する映像取得ステップと、
上記第１の映像生成ユニットが、取得した第２の映像および自ユニットにおいて生成した第１の映像を含む表示用映像を、当該第２の映像のレイアウトを指定するレイアウト指定情報を含む表示関連情報に基づいて生成する生成ステップと、
上記第１の映像生成ユニットが、生成した表示用映像を表示部に表示する表示制御ステップと、を含むことを特徴とする映像表示方法。
【請求項１２】
請求項１から１０のいずれか１項に記載の映像表示装置が備えているコンピュータを動作させるプログラムであって、上記コンピュータを上記の各手段として機能させるためのプログラム。
【請求項１３】
請求項１２に記載のプログラムを記録しているコンピュータ読み取り可能な記録媒体。
【発明の詳細な説明】
【技術分野】
【０００１】
本発明は、複数のユニットから構成される映像表示装置であって、各ユニットにおいて生成した映像を同時に表示させることができる映像表示装置に関する。また、本発明は、上記映像表示装置における映像表示方法にも関する。
【背景技術】
【０００２】
近年、放送番組を視聴しながら、同一画面上で別の映像を見たいという要望が、視聴者の間に高まっている。これを背景に、子画面を用いて放送番組以外の他の映像を表示する技術が色々と提案されている。
【０００３】
特許文献１には、テレビ画面とインターネットに接続して得られたブラウザ画面を同時にディスプレイに表示する映像表示装置が開示されている。
【０００４】
特許文献２には、デジタル放送を高解像度で短時間に視聴するとともに、ユーザのＴＶ／ＰＣ機能をシームレスに選択できるテレビ機能付きパーソナルコンピュータが開示されている。
【０００５】
特許文献３には、ＰＣの負荷を増加することなくテレビや録画番組の視聴ができ、ＰＣ作業中にＰＣモニタ上の任意の位置にオーバーレイ表示によるテレビ画像を小画面表示することができるとともに、作業域とテレビのオーバーレイ領域が重なり操作性が悪くなった場合にも、作業域を任意の位置へ移動させ、かつ任意の大きさに変更することができ、操作性を大幅に改善することができる画像処理装置が開示されている。
【先行技術文献】
【特許文献】
【０００６】
【特許文献１】特開２００８−７９０７７（公開日：２００８年４月３日）
【特許文献２】特開２００６−３１０８９６（公開日：２００６年１１月９日）
【特許文献３】特開２００７−３１１９５８（公開日：２００７年１１月２９日）
【発明の概要】
【発明が解決しようとする課題】
【０００７】
しかし、上述した従来技術には次のような問題がある。
【０００８】
特許文献１の技術では、ブラウザ機能をテレビ装置の中で実現している。この構成では、テレビ装置のソフトウェアおよびハードウェアは、コンピュータのそれらに比べて貧弱であるため、限られたサービスしか処理できない。特に、インターネットを通じて提供されるサービスは日々進化しているため、特許文献１の技術では、オンラインゲームおよび動画再生サービスなど処理に多大な負荷を要する数多くのサービスには対応できない。その結果、ユーザに対して極僅かなサービスを提供できるに留まる。特許文献２の技術にも同様の問題がある。
【０００９】
特許文献３の技術では、テレビと外部ＰＣとを接続することによって、テレビ画面とＰＣ画面とを混在させて表示する。この技術では、別体の２つの装置を互いに接続するため、配線などが複雑になる。結果、装置の設置および持ち運びが面倒なものとなる。また、テレビ放送の処理とコンピュータの処理とが互いに無関係に動作しているため、それぞれを別々の操作装置で操作せざるを得ない。また、両者の連携を実現することは困難である。
【００１０】
本発明は、上記の問題点に鑑みてなされたものであり、その主たる目的は、２つの異なるユニット間の親和性を高め、第１の映像生成ユニットを操作することにより両者を連携して動作させ、両ユニットのそれぞれにおいて生成した映像を単一の表示装置に同時表示させることができる映像表示装置を提供することにある。
【課題を解決するための手段】
【００１１】
本発明に係る映像表示装置では、上記課題を解決するために、
第１の映像を生成する第１の映像生成ユニットと、第２の映像を生成する第２の映像生成ユニットとを備えた映像表示装置であって、
上記第１の映像生成ユニットが、
上記第２の映像生成ユニットに対して第２の映像の取得要求を送信する通信手段と、
上記通信手段から送信した取得要求を受信した第２の映像生成ユニットから送信される第２の映像を取得する映像取得手段と、
上記映像取得手段において取得した第２の映像および自ユニットにおいて生成した第１の映像を含む表示用映像を、当該第２の映像の表示レイアウトを指定するレイアウト情報を含む表示関連情報に基づいて生成する生成手段と、
上記生成手段において生成した表示用映像を表示部に表示する表示制御手段と、
を備えていることを特徴としている。
【００１２】
本発明に係る映像表示装置では、第１の映像生成ユニットが、第２の映像生成ユニットに対して第２の映像の取得要求を送信する。そして、第２の映像生成ユニットは受信した取得要求に基づいて、第１の映像生成ユニットに対して第２の映像を送信する。第１の生成ユニットは、第２の生成ユニットから取得した第２の映像および自ユニットにおいて生成した第１の映像を含む表示用映像を、第２の映像のレイアウト情報を含む表示関連情報に基づいて生成する。
【００１３】
このように、本発明に係る映像表示装置は、第１の映像生成ユニットから第２の映像生成ユニットに対して送信される第２の映像の取得要求により、互いに連携して動作する。また、第１の映像生成ユニットでは、取得した第２の映像と自ユニットにおいて生成した第１の映像とを含む表示用映像を生成し、生成した表示用映像を表示部に表示する。
【００１４】
したがって、ユーザーは第１の映像生成ユニットを操作するのみで、それぞれの映像生成ユニットにおいて生成された映像を含む表示用映像を単一の表示部に同時表示させることができる。すなわち、本発明に係る映像表示装置は、２つの異なるユニット間の親和性を高め、第１の映像生成ユニットを操作することにより両者を連携して動作させ、両ユニットのそれぞれにおいて生成した映像を単一の表示装置に同時表示させることができる。
【００１５】
これによって、本発明に係る映像表示装置を使用するユーザーは、第１の映像生成ユニットに対する操作のみで、すなわち非常に簡便な機器操作で、第１の映像生成ユニットの生成した第１の映像と、第２の映像生成ユニットの生成した第２の映像とを同時に視聴することができる効果を奏する。
【００１６】
本発明に係る映像表示装置では、さらに、上記表示関連情報は、上記表示用映像における第２の映像の表示サイズを指定するサイズ指定情報を上記レイアウト情報として含み、上記通信手段は、第２の映像および当該第２の映像の表示関連情報の取得要求を送信すると共に、当該取得要求を受信した第２の映像生成ユニットから送信される表示関連情報を受信し、上記生成手段は、取得した第２の映像を、上記通信手段において受信した表示関連情報に含まれるサイズ指定情報により指定される表示サイズにスケーリング処理し、スケーリング処理した上記第２の映像を上記第１の映像に合成することにより表示用映像を生成することが好ましい。
【００１７】
上記の構成によれば、第１の映像生成ユニットは、第２の映像をサイズ指定情報により指定される表示サイズにスケーリング（拡大縮小）処理し、スケーリング処理した第２の映像と第１の映像とを合成した表示用映像を生成する。すなわち、本発明に係る映像表示装置では、第２の映像生成ユニットは第１の映像生成ユニットに対して第２の映像を送信するのみであり、表示用映像における第２の映像のスケーリング処理は第１の映像生成ユニットにおいて実行される。言い換えれば、第２の映像生成ユニットは、通常であれば第２の映像のスケーリング処理を実行する分の機能を、第２の映像生成ユニットにおける他の処理にまわすことができる。
【００１８】
これによって、ユーザーは、表示部に第１の映像と同時に表示されている第２の映像を視聴しつつ、第２の映像生成ユニットに対する処理を快適に実行することができる効果を奏する。
【００１９】
また、スケーリング処理を第１の映像生成ユニットのみで実行することにより、スケーリング処理が２段階で行われることによる画質の劣化を防止すると共に、画面情報の欠落を最小限に抑えることができる効果を奏する。
【００２０】
本発明に係る映像表示装置では、さらに、上記第１の映像は、上記サイズ指定情報により指定される表示サイズに応じて、上記表示用映像上において上記第２の映像に重ならない表示サイズに縮小されていることが好ましい。
【００２１】
上記の構成によれば、第１の映像生成ユニットは、表示用映像において、第１の映像と第２の映像とが重ならないように、第１の映像の表示サイズを縮小する。
【００２２】
これによって、表示部において第１の映像と第２の映像とを同時に表示する際に、それぞれの映像が重なってしまうことを避けることができる。すなわち、ユーザーが第１の映像と第２の映像とを、同時に、かつ、全て視聴することができる効果を奏する。
【００２３】
本発明に係る映像表示装置では、さらに、上記表示関連情報は、上記表示用映像における第２の映像の表示位置を指定する位置指定情報および表示サイズを指定するサイズ指定情報を上記レイアウト情報として含み、かつ、情報入力デバイスを用いてユーザにより上記第１の映像生成ユニットに入力され、上記生成手段は、取得した第２の映像を上記表示関連情報に含まれるサイズ指定情報により指定される表示サイズにスケーリング処理すると共に、スケーリング処理した上記第２の映像を上記レイアウト情報に含まれる位置指定情報により指定される表示位置に配置した表示用映像を生成することが好ましい。
【００２４】
上記の構成によれば、表示関連情報は、位置指定情報およびサイズ指定情報をレイアウト情報として含み、かつ、情報入力デバイスを用いてユーザにより上記第１の映像生成ユニットに入力される。また、生成手段は、サイズ指定情報に基づいてスケーリング処理した第２の映像を、位置指定情報により指定される表示位置に配置した表示用映像を生成する。
【００２５】
これによって、第１の映像生成ユニットに対して情報を入力することにより、第２の映像の表示サイズおよび表示位置を設定することができる。
【００２６】
すなわち、ユーザーは第１の映像生成ユニットに対する操作入力のみで、第１の映像と共に表示部に表示されている第２の映像の位置およびサイズを変更することができる効果を奏する。
【００２７】
本発明に係る映像表示装置では、さらに、上記表示関連情報は、第２の映像上の領域を指定する領域指定情報を上記レイアウト情報として含み、上記通信手段は、第２の映像および当該第２の映像の表示関連情報の取得要求を送信すると共に、当該取得要求を受信した第２の映像生成ユニットから送信される表示関連情報を受信し、上記生成手段は、取得した第２の映像のうち、当該第２の映像上の領域であって、上記通信手段において受信した表示関連情報に含まれる領域指定情報により指定される領域に示される映像を上記第１の映像に合成することにより表示用映像を生成することが好ましい。
【００２８】
上記の構成によれば、本発明に係る映像表示装置では、第２の映像のうち、領域指定情報により指定される領域に表示される映像と第１の映像とを表示部に同時に表示することができる。すなわち、第２の映像の一部のみを第１の映像と同時に表示させることができる効果を奏する。
【００２９】
これによって、例えば、ユーザーは、第２の映像における時計およびニュース情報などの第２の映像において継続的に視聴したい映像のみを第１の映像を視聴しつつ視聴することができる。
【００３０】
本発明に係る映像表示装置では、さらに、上記第２の映像生成ユニットは、アプリケーションを実行する実行手段を備えており、上記表示関連情報は、上記レイアウト情報に加えて、上記実行手段において実行されているアプリケーションにより、上記第２の映像の一部として生成されるウィンドウのうち、ユーザーにより指定された指定ウィンドウの表示位置および表示サイズを示すウィンドウ配置情報をさらに含み、上記通信手段は、第２の映像および当該第２の映像の表示関連情報の取得要求を送信すると共に、当該取得要求を受信した上記第２の映像生成ユニットから送信される表示関連情報を受信し、上記生成手段は、上記通信手段において受信した表示関連情報に含まれるウィンドウ配置情報より示される上記指定ウィンドウの表示位置および表示サイズに基づいて、上記第１の映像の表示位置を、取得した第２の映像上の上記指定ウィンドウの表示されていない領域に配置した表示用映像を生成することが好ましい。
【００３１】
上記の構成によれば、第１の映像生成ユニットは、受信したウィンドウ配置情報に基づいて、取得した第２の映像上の指定ウィンドウの表示されていない領域を算出し、算出した指定ウィンドウの表示されていない領域に第１の映像を配置する。
【００３２】
これによって、第２の映像においてユーザーの指定する指定ウィンドウにより第１の映像の視聴が妨げられることを防止することができる効果を奏する。
【００３３】
本発明に係る映像表示装置では、さらに、上記第２の映像生成ユニットは、外部からデータを取得するデータ取得手段を備えており、上記表示関連情報は、上記レイアウト情報に加えて、上記データ取得手段において外部からデータを取得中であることを示すデータ取得情報をさらに含み、上記通信手段は、第２の映像および上記表示関連情報の取得要求を送信すると共に、当該取得要求を受信した上記第２の映像生成ユニットから送信される表示関連情報を受信し、上記生成手段は、上記通信手段において受信した表示関連情報に含まれるデータ取得情報に基づいて生成した第１の映像を、取得した第２の映像に合成することにより表示用映像を生成することが好ましい。
【００３４】
上記の構成によれば、第１の映像生成ユニットは、第２の映像生成ユニットから送信されるデータ取得情報に基づいて生成した第１の映像を生成する。そして、生成した第１の映像と第２の映像生成ユニットから取得した第２の映像とを表示部に同時に表示する。
【００３５】
これによって、ユーザーは、外部からデータを取得していることを、第２の映像を視聴しつつ確認することができる効果を奏する。
【００３６】
本発明に係る映像表示装置では、さらに、上記第１の映像は、上記生成手段において生成する表示用映像の表示形態の変更処理を指定する情報を表すメニュー映像を含むことが好ましい。
【００３７】
上記の構成によれば、生成手段において生成する表示用映像の表示形態の変更処理を指定するメニュー項目が表示されているメニュー映像を、表示部に表示させることができる。これによって、ユーザーが表示部に表示されているメニュー映像におけるメニュー項目を選択することにより、表示用映像の表示形態を変更することができる効果を奏する。
【００３８】
本発明に係る映像表示装置では、さらに、上記第１の映像生成ユニットは、アンテナを通じて放送波を受信する放送波受信手段をさらに備えており、上記第１の映像は、上記放送波受信手段において受信した放送波をデコードすることにより生成されることが好ましい。
【００３９】
上記の構成によれば、第１の映像生成ユニットが放送番組を第１の映像として表示部に表示することができる。結果として、本発明に係る映像表示装置を、テレビジョン受像機の一種として実現することができる効果を奏する。
【００４０】
本発明に係る映像表示装置では、さらに、上記第２の映像生成ユニットは、アプリケーションを実行する実行手段を備えており、上記第２の映像は、上記実行手段においてアプリケーションを実行する際に生成されることが好ましい。
【００４１】
上記の構成によれば、第２の映像生成ユニットが汎用コンピュータとしても機能を有する。結果として、本発明に係る映像表示装置をコンピュータ機能を有する装置として実現することができる。特に、第１の映像生成ユニットが放送番組の表示機能を有する場合、本発明に係る映像表示装置は、コンピュータ内蔵テレビジョン受像機として実現することができる効果を奏する。
【００４２】
本発明に係る映像表示装置における映像表示方法では、
第１の映像を生成する第１の映像生成ユニットと、第２の映像を生成する第２の映像生成ユニットとを備えた映像表示装置における映像表示方法であって、
上記第１の映像生成ユニットから第２の映像生成ユニットに対して第２の映像の取得要求を送信する通信ステップと、
上記通信ステップにおいて上記第１の映像生成ユニットから送信した取得要求を受信した第２の映像生成ユニットから送信される第２の映像を、上記第１の映像生成ユニットが取得する映像取得ステップと、
上記第１の映像生成ユニットが、取得した第２の映像および自ユニットにおいて生成した第１の映像を含む表示用映像を、当該第２の映像のレイアウトを指定するレイアウト指定情報を含む表示関連情報に基づいて生成する生成ステップと、
上記第１の映像生成ユニットが、生成した表示用映像を表示部に表示する表示制御ステップと、を含むことを特徴としている。
【００４３】
上記の構成によれば、本発明に係る映像表示装置と同様の作用効果を奏する。
【００４４】
また、本発明に係る映像表示装置を動作させるためのプログラムであって、コンピュータを上記の各手段として機能させることを特徴とするプログラム、および、それらのプログラムを記録したコンピュータ読み取り可能な記録媒体も本発明の範疇に含まれる。
【発明の効果】
【００４５】
本発明に係る映像表示装置では、第１の映像生成ユニットが、第２の映像生成ユニットに対して第２の映像の取得要求を送信する。そして、第２の映像生成ユニットは受信した取得要求に基づいて、第１の映像生成ユニットに対して第２の映像を送信する。第１の生成ユニットは、第２の生成ユニットから取得した第２の映像および自ユニットにおいて生成した第１の映像を含む表示用映像を、第２の映像のレイアウト情報を含む表示関連情報に基づいて生成する。
【００４６】
これによって、本発明に係る映像表示装置は、２つの異なるユニット間の親和性を高め、第１の映像生成ユニットを操作することにより両者を連携して動作させ、両ユニットのそれぞれにおいて生成した映像を単一の表示装置に同時表示させることができる。
【００４７】
これによって、本発明に係る映像表示装置を使用するユーザーは、第１の映像生成ユニットに対する操作を行うのみで、すなわち非常に簡便な操作を行うのみで、第１の映像と第２の映像とを同時に視聴することができる効果を奏する。
【図面の簡単な説明】
【００４８】
【図１】実施形態に係るＰＣ内蔵テレビの要部構成を示すブロック図である。
【図２】実施形態に係るＰＣ内蔵テレビの外観を示す図であり、（ａ）はＰＣ内蔵テレビを表示画面側から見た場合の外観を示し、（ｂ）はＰＣ内蔵テレビを横から見た場合の外観を示す。
【図３】実施形態に係るＰＣ内蔵テレビの詳細な内部構成を示すブロック図である。
【図４】実施形態に係るＰＣ内蔵テレビにおいて、ＴＶ映像およびＰＣ映像をＰｉｎＰの形式でディスプレイに同時表示する表示例を示した図であり、（ａ）はＴＶ映像を主映像とし、ＰＣ映像を副映像とする場合であり、（ｂ）はＰＣ映像を主映像とし、ＴＶ映像を副映像とする場合である。
【図５】実施形態に係るＰＣ内蔵テレビにおけるＰＣ映像の表示位置の変更および表示サイズの変更を模式的に示す図である。
【図６】実施形態に係るＰＣ内蔵テレビにおいて、ＴＶ映像およびＰＣ映像をＰｏｕｔＰの形式でディスプレイに同時表示する表示例を示した図であり、（ａ）はＴＶ映像を主映像とし、ＰＣ映像を副映像とする場合であり、（ｂ）はＰＣ映像を主映像とし、ＴＶ映像を副映像とする場合である。
【図７】実施形態に係るＰＣ内蔵テレビにおいて、ＰＣ映像上の一部領域に示される映像とＴＶ映像とをディスプレイに同時表示する一例を模式的に示す図である。
【図８】実施形態に係るＰＣ内蔵テレビにおいて、ＴＶ映像をＰＣ映像におけるアクティブウィンドウに重ならないように表示する場合の一例を示した図であり、（ａ）はアクティブウィンドウとして指定されるウィンドウの変更を示す図であり、（ｂ）はＴＶ映像の表示位置の移動を示す図である。
【図９】実施形態に係るＰＣ内蔵テレビにおいて、ＴＶ映像をＰＣ映像におけるアクティブウィンドウに重ならないように表示する場合の他の例を示した図であり、（ａ）はアクティブウィンドウとして指定されるウィンドウの変更を示す図であり、（ｂ）はＴＶ映像の表示位置の移動を示す図である。
【図１０】実施形態に係るＰＣ内蔵テレビにおいて、ＴＶ映像、ＰＣ映像およびメニュー映像をディスプレイに同時表示する表示例を示す図であり、（ａ）はメニュー映像に表示されているメニュー項目を選択している状態を示す図であり、（ｂ）はメニュー項目の選択により表示形態が変更された状態を示す図である。
【図１１】ＰＣ内蔵テレビにおける各表示モードを模式的に示す図であり、（ａ）はＴＶモードを示す図であり、（ｂ）は同時表示モード１を示す図であり、（ｃ）は同時表示モード２を示す図であり、（ｄ）はＰＣモードを示す図である。
【図１２】実施形態に係るＰＣ内蔵テレビにおいて、ＰＣ映像とＴＶ映像とをディスプレイに同時表示する表示例を示す図であり、（ａ）はＰＣユニットから出力される情報から生成した映像をＰＣ映像と同時表示する図であり、（ｂ）はＴＶ映像を主映像とし、ＰＣ映像を副映像として各映像をディスプレイに同時表示する図である。
【図１３】実施形態に係るＰＣ内蔵テレビの他の例の外観を示す図であり、（ａ）は、着脱可能なＰＣユニットがＴＶユニットに装着された後のＰＣ内蔵テレビを表示画面側から見た場合の外観を示す図であり、（ｂ）は、着脱可能なＰＣユニットがＴＶユニットに装着される前のＰＣ内蔵テレビを背面側から見た場合の外観を示す図である。
【図１４】実施形態に係るＰＣ内蔵テレビの他の例の要部構成を示すブロック図である。
【発明を実施するための形態】
【００４９】
本発明に係る映像表示装置の一実施形態について、図１〜図１４を参照して以下に説明する。なお、本実施形態では、第１の映像生成ユニットとしてＴＶユニットを有しており、第２の映像生成ユニットとしてＰＣユニットを有しているＰＣ内蔵テレビを具体例に挙げて説明する。
【００５０】
（ＰＣ内蔵テレビ１の外観）
まず、ＰＣ内蔵テレビ１の外観について、図２（ａ）および（ｂ）を参照して以下に説明する。図２（ａ）および（ｂ）は、本実施形態に係るＰＣ内蔵テレビ１の外観を示す図であり、（ａ）は、ＰＣ内蔵テレビ１を表示画面側から見た場合の外観を示し、（ｂ）は、ＰＣ内蔵テレビ１を横（ＰＣユニット２０の設置側）から見た場合の外観を示す。
【００５１】
図２（ａ）および（ｂ）に示すように、ＰＣ内蔵テレビ１（映像表示装置）は、ＴＶユニット１０（第１の映像生成ユニット）にＰＣユニット２０（第２の映像生成ユニット）が設けられた構成の装置である。本実施形態のＴＶユニット１０は、液晶テレビジョン装置としての構成および機能を備えたサブユニット（サブシステム）である。一方、ＰＣユニット２０はいわゆるパーソナルコンピュータとしての構成および機能を備えたサブユニット（サブシステム）である。両者が一体化されて一つのＰＣ内蔵テレビ１を構成する。さらに両者は互いに連携して動作することによって、ユーザに対し、これまでにない充実したコンテンツ再生（視聴、閲覧）体験を提供する。
【００５２】
ユーザはリモコン９を使用してＰＣ内蔵テレビ１を操作する。リモコン９さえあれば、ＴＶユニット１０を操作して放送番組を視聴することができる。さらに、同じリモコン９を使用することによって、ＰＣユニット２０を操作して各種のソフトウェアアプリケーションを実行したり、インターネット上のウェブサイトにアクセスしてウェブページを閲覧したりすることができる。
【００５３】
なお、図２（ａ）および（ｂ）では、ＰＣユニット２０がＴＶユニット１０外壁面に取り付けられている場合を示しているが、ＰＣユニット２０がＴＶユニット１０の筐体本体に内蔵されていてもよい。この場合、ＰＣユニット２０はＴＶユニット１０の内部に完全に隠されている。したがって、ＰＣユニット２０を外部環境から守ることができる。なお、ユーザは、ＰＣユニット２０をＴＶユニット１０の内部から取り出して、別のＰＣユニット２０に交換することができる。
【００５４】
（ＰＣ内蔵テレビ１の要部構成）
ＰＣ内蔵テレビ１の内部構成および機能について、図１を参照して以下に説明する。図１は、本発明の一実施形態に係るＰＣ内蔵テレビ１の要部構成を示すブロック図である。
【００５５】
図１に示すように、ＰＣ内蔵テレビ１のＴＶユニット１０は、映像出力部１１、音声出力部１２、コンテンツ処理部１３、コンテンツ合成部１４、コンテンツ取得部１５、コンテンツ受信部１６、ユーザ入力部１７、制御情報通信部１８および制御部１９を備えている。一方、ＰＣユニット２０は、コンテンツ処理部２１、コンテンツ取得部２２、コンテンツ送信部２３、記憶部２４、制御情報通信部２５、ユーザ入力部２６、制御部２７およびアプリケーション実行部２８を備えている。
【００５６】
ＰＣ内蔵テレビ１は、映像の合成機能を有している。具体的には、ＴＶユニット１０は、放送波（テレビ放送）を受信してデコードすることによって、放送番組を取得する。ＰＣユニット２０は、ウェブページ、動画コンテンツなどのＰＣコンテンツを取得してＴＶユニット１０に提供する。ＴＶユニット１０は、少なくとも放送番組内の映像（以下、ＴＶ映像とも称する）およびＰＣコンテンツ内の映像（以下、ＰＣ映像とも称する）を合成して一つの表示用映像を生成し、ディスプレイ２に出力する。ディスプレイ２には表示用映像が表示される。
【００５７】
なお、ディスプレイ２は、ＰＣ映像、ＴＶ映像およびそれらの映像を含む表示用映像を表示することができるものであれば、いかなるディスプレイであってもよい。ディスプレイ２の一例としては、液晶ディスプレイ、プラズマディスプレイ、および有機ＥＬディスプレイを挙げることができる。
【００５８】
（ＴＶユニット１０の詳細）
ＴＶユニット１０に備えられる各ブロックの機能について、それぞれ以下に説明する。
【００５９】
映像出力部１１は、コンテンツ合成部１４から送られた映像信号をディスプレイ２に出力する。
【００６０】
音声出力部１２は、コンテンツ合成部１４から送られた音声信号をスピーカ３に出力する。
【００６１】
コンテンツ処理部１３は、コンテンツ取得部１５から入力されたコンテンツを処理する。本実施形態では、受信された放送波をデコードして放送番組を生成し、コンテンツ合成部１４に出力する。
【００６２】
コンテンツ合成部１４は、コンテンツ処理部１３から入力された放送番組（ＴＶ映像）、および、コンテンツ受信部１６がＰＣユニット２０から受信したＰＣコンテンツ（ＰＣ映像）を合成して、一つの合成コンテンツ（表示用映像）を生成する。コンテンツ合成部１４では、表示用映像において、ＴＶ映像が所定の表示位置に、所定の表示サイズで表示されるようにＴＶ映像を処理する。また、表示用映像において、ＰＣ映像が所定の表示位置に、所定の表示サイズで表示されるようにＰＣ映像を処理する。
【００６３】
コンテンツ取得部１５は、アンテナ４を通じて放送波を受信し、コンテンツ処理部１３に出力する。なお、放送波の受信方法はアンテナ４を通じたものに限定されない。コンテンツ取得部１５は、ケーブルテレビ放送網を通じて放送波を受信することもできる。他にも、インターネット８を通じてＩＰ放送データ（ＩＰ放送波）を受信することもできる。
【００６４】
また、コンテンツ取得部１５に入力される映像としては、放送などリアルタイムの映像に限定されるものではない。他にも、録画再生機器（レコーダ装置）などにより再生されるコンテンツなどのＨＤＭＩケーブルまたはビデオケーブルなどを介して入力される外部入力映像を使用することもできる。
【００６５】
コンテンツ受信部１６は、ＰＣユニット２０から送信されたＰＣコンテンツを受信し、コンテンツ合成部１４に出力する。
【００６６】
ユーザ入力部１７は、ユーザによるＰＣ内蔵テレビ１に対する入力操作を受け付ける。具体的には、例えばユーザによる入力操作に応じてリモコン９が発した信号を受信し、制御部１９に出力する。他にも、ＴＶユニット１０本体へのユーザの直接操作によって発生せられた信号を受信することもできる。
【００６７】
制御情報通信部１８は、ＰＣユニット２０と制御情報をやり取りする。具体的には、制御情報をＰＣユニット２０の制御情報通信部２５に送信したり、あるいは、制御情報通信部２５から送信された制御情報を受信したりする。
【００６８】
ここで、制御情報には、例えば、ＰＣユニット２０またはＴＶユニット１０を操作するための操作情報が含まれる。他にも、ＴＶユニット１０からＰＣユニット２０に対して送信される制御情報としては、表示用映像に含まれるＰＣ映像の取得を要求する取得要求を挙げることができる。また、ＰＣユニット２０からＴＶユニット１０に対して送信される制御情報としては、表示用映像に含まれるＰＣ映像の表示サイズを指定するサイズ指定情報、および、表示用映像において表示するＰＣ映像上の領域を指定する領域指定情報などを含むレイアウト情報などを挙げることができる。
【００６９】
制御部１９は、ＴＶユニット１０を構成する各ブロックを統括制御する。
【００７０】
（ＰＣユニット２０の詳細）
ＰＣユニット２０を構成する各ブロックの機能について、以下に説明する。
【００７１】
コンテンツ処理部２１は、コンテンツ取得部２２が取得したＰＣコンテンツを処理する。コンテンツ取得部２２は、外部からＰＣコンテンツを取得する。例えば、コンテンツ取得部２２は、記録ディスク７からＰＣコンテンツを取得してもよいし、インターネット（通信ネットワーク）８を介してＰＣ内蔵テレビ１に接続されているサーバ装置あるいはクライアント装置からＰＣコンテンツを取得してもよい。
【００７２】
ここで、ＰＣコンテンツとは、コンピュータによって処理され再生可能なコンテンツのことである。ＰＣコンテンツには、例えばテキスト、静止画像、音声、動画像などのコンテンツが該当し、さらにこれらの組み合わせからなるマルチメディアコンテンツも該当する。他にも、ウェブページもＰＣコンテンツに含まれる。これらのＰＣコンテンツは各所から取得できる。取得先としては、インターネット８上のウェブサイト、ＰＣ内蔵テレビ１に接続された外部装置、および記録ディスク７を挙げることができる。
【００７３】
コンテンツ送信部２３は、コンテンツ処理部２１が処理したコンテンツをコンテンツ受信部１６へ送信する。コンテンツ送信部２３は、ＰＣユニット２０において生成したＰＣ映像を送信する映像送信手段と換言することもできる。
【００７４】
記憶部２４は、各種のＰＣコンテンツを記憶する。例えば、ハードディスク、フラッシュメモリなどの不揮発性の記憶装置として実現される。記憶部２４には、ＰＣコンテンツに加えて、アプリケーション実行部２８によって実行される各種のソフトウェアアプリケーションが記憶されている。
【００７５】
制御情報通信部２５は、制御情報通信部１８と制御情報のやり取りをする。具体的には、制御情報をＴＶユニット１０の制御情報通信部１８に送信したり、あるいは、制御情報通信部１８から送信された制御情報を受信したりする。ＰＣユニット２０からＴＶユニット１０に対して送信される制御情報としては、表示用映像に含まれるＰＣ映像の表示サイズを指定するサイズ指定情報、および、表示用映像において表示するＰＣ映像上の領域を指定する領域指定情報などを含むレイアウト情報、コンテンツ取得部２２においてコンテンツを取得中であることを示すデータ取得情報、ＰＣユニット２０が起動中であることを示す状況情報などを含む表示関連情報を挙げることができる。
【００７６】
制御情報通信部１８は、表示関連情報をＴＶユニット１０に対して送信する送信手段であると換言することもできる。
【００７７】
ユーザ入力部２６は、ユーザによるＰＣ内蔵テレビ１に対する入力操作を受け付ける。具体的には、ユーザによる入力操作に応じて操作装置（本実施形態ではマウス５およびキーボード６）が発した信号を受信し、制御部２７に出力する。当該操作装置の他の例として、トラックボールおよびトラックパッドなどのポインティングデバイス、ならびにジョイスティックも含まれる。
【００７８】
制御部２７は、ＰＣユニット２０における動作全般を制御する。
【００７９】
アプリケーション実行部２８は、記憶部２４に記憶されているソフトウェアアプリケーションを読み出して実行する。
【００８０】
（ＰＣ内蔵テレビ１の詳細な内部構成）
次に、ＰＣ内蔵テレビ１の詳細な内部構成について、図３を参照して説明する。図３は、本実施形態に係るＰＣ内蔵テレビ１の詳細な内部構成を示すブロック図である。図１に示す各機能ブロックは、図３に示す各ブロックのいずれかまたはその組み合わせによって、実現される。
【００８１】
ＲＦ（Ｒａｄｉｏ  Ｆｒｅｑｕｅｎｃｙ）受信部１０１は、外部から送られてくる信号を受信する。すなわち、ＲＦ受信部１０１は、例えば、地上波デジタル放送により伝送される映像信号などのデジタル放送信号を受け付ける映像信号入力部である。なお、ＲＦ部１０１が受信する信号は、地上波デジタル放送波として送られてくる信号に限定されるものではなく、例えば、一般のアナログ放送、衛星放送、またはケーブルテレビ放送により伝送される映像信号であってもよい。
【００８２】
ＲＦ受信部１０１が受信する映像信号の形式としては、例えば、デジタル放送の場合はＭＰＥＧ２またはＭＰＥＧ４形式でデジタル化された映像信号を挙げることができる。また、ＲＦ受信部１０１に入力される信号は、上記の映像信号に限定されるものではなく、例えば、デジタル化されたオーディオ信号、データ放送、電子番組表情報またはネットワーク情報などのデジタル放送信号（放送波）であってもよい。
【００８３】
デモジュレータ１０２は、ＲＦ受信部１０１に入力されたデジタル放送信号を復調し、デコーダ１０３に送る。
【００８４】
デコーダ１０３は、例えばＭＰＥＧ２ＴＳなどの復調された信号を、ビデオ成分（信号）とオーディオ成分（信号）とに分解する。また、デコーダ１０３は、分解した信号のうちビデオ信号をデコードし、オーディオ信号をオーディオプロセッサ１０４に送る。このとき、オーディオ信号に付随するデータは、ＣＰＵ１０９に送られ、そこで処理される。
【００８５】
オーディオプロセッサ１０４は、デコーダ１０３から受け取ったオーディオ信号をデコードする。なお、オーディオ信号には多数のフォーマットがあるため、通常、オーディオ信号のデコード処理はオーディオプロセッサ１０４にて行う。しかしながら、これに限定されるものではなく、デコーダ１０３またはＣＰＵ１０９において、オーディオ信号をデコードしてもよい。処理されたオーディオ信号は、スピーカ１０５に送られる。
【００８６】
スピーカ１０５は、オーディオプロセッサ１０４においてデコードされたオーディオ信号を出力する。なお、本実施形態では、表示部１１２およびスピーカ１０５を備えたテレビの形態を示すが、これに限定されるものではなく、例えば、ＢＤ（Ｂｌｕ−Ｒａｙ）レコーダまたはＳＴＢ（Ｓｅｔ  Ｔｏｐ  Ｂｏｘ）などの場合、スピーカ１０５の代わりに、外部機器にオーディオ信号を出力してもよい。
【００８７】
リモコン通信部１０６は、図示しないリモコンからの制御信号を受信する。制御信号を送信するリモコンとしては、例えば、１方向に信号を送信する赤外線リモコン、または双方向に信号を送信する無線リモコンが挙げられる。リモコン通信部１０６が受信した制御信号は、ＣＰＵ１０９に送られる。
【００８８】
外部入力部１０７は、ＰＣユニット２０の映像出力部２０８から出力された信号を受信する。外部入力部１０７としては、例えば、ＨＤＭＩインターフェースまたはＤＶＩ−Ｄ端子などが挙げられる。また、外部入力部１０７が受信する信号は、デコードされたデータまたは圧縮形式のデータ（例えば、ＭＥＰＧ２またはＭＰＥＧ４形式のデータなど）を含む。
【００８９】
外部入力部１０７が受信したオーディオ信号は、オーディオプロセッサ１０４に出力される。一方、外部入力部１０７が受信した映像信号は、グラフィックメモリ１１０に出力され、展開される。また、例えば、外部入力部１０７が受信した映像信号が圧縮画像であった場合、受信した映像信号は、デコーダ１０３をいったん経由してグラフィックメモリ１１０に送られる。なお、デコーダ１０３を経由するか否かによって、グラフィックメモリ１１０に出力される映像信号に本質的な差異は生じない。
【００９０】
メモリ１０８は、プログラムまたはデータを格納するメモリである。
【００９１】
ＣＰＵ１０９は、ＴＶユニット１０全体の制御を行うＣＰＵである。
【００９２】
グラフィックメモリ１１０は、２つ以上の映像および表示データを保持する。表示データとしては、例えば、データ放送、およびＯＳＤ（オンスクリーンディスプレイ）データ、および設定メニューなどのデータが挙げられる。グラフィックメモリ１１０は、複数のプレーンからなり、それぞれのプレーンを重ね合わせたり、アルファブレンディングを行ったりすることが可能である。
【００９３】
グラフィックコントローラ１１１は、グラフィックメモリ１１０に保持される映像および表示データを合成し、１画面を作成する。すなわち、グラフィックコントローラ１１１は、ＣＰＵ１０９からの制御に応じて、例えば、複数のプレーンの拡大縮小または位置設定などを行い、合成して最終画面を作り出す。この最終画面は、表示部１１２へ送られる。なお、グラフィックメモリ１１０およびグラフィックコントローラ１１１は、図１に示したコンテンツ合成部１４に相当する。
【００９４】
表示部１１２は、グラフィックコントローラ１１１から受け取った映像を表示する。例えば液晶パネルなどの表示デバイスに映像を表示してもよいし、外部機器に映像データを出力してもよい。
【００９５】
ＬＡＮ（Ｌｏｃａｌ  Ａｒｅａ  Ｎｅｔｗｏｒｋ）コントローラ１１３は、ネットワークを通じて外部機器と接続する。ＬＡＮコントローラ１１３は、ＤＬＮＡ（Ｄｉｇｉｔａｌ  Ｌｉｖｉｎｇ  Ｎｅｔｗｏｒｋ  Ａｌｌｉａｎｃｅ）などのホームネットワーク規格によって他の機器と接続しても、インターネットを通じて映像サービスと接続してもよい。また、外部機器との接続は、有線または無線のどちらでもよい。なお、ＬＡＮコントローラ１１３から取得された映像信号は、特に限定されないが、ＲＦ受信部１０１を通じて取得された映像信号と同様に扱うことが好ましい。
【００９６】
Ｉ／Ｆ部１１４は、ＬＡＮ、ＵＳＢまたはシリアルなどを制御するインターフェース部である。Ｉ／Ｆ部１１４では、静止画などを含む制御情報をＰＣユニット２０とやり取りする。なお、Ｉ／Ｆ部１１４における制御情報の送受信方式は、特に限定されない。
【００９７】
電源部１１５は、ＴＶユニット１０における電源回路である。また、電源部２０４は、ＰＣユニット２０における電源回路である。これらの電源部１１５，２０４は、共通の電源１５０から電力の供給を受ける。この際、１つのＡＣプラグによって電力の供給を受けることが望ましい。
【００９８】
入力部２０１は、外部からの入力を受け付ける。このように、ＰＣユニット２０は、独自の入力部が存在し得る。入力部２０１としては、例えば、Ｂｌｕｅｔｏｏｔｈのワイヤレスキーボードまたはワイヤレスマウスなどを利用できることが好ましい。
【００９９】
ＩＯプロセッサ２０２は、各種外部インターフェースを制御する。
【０１００】
ＬＡＮコントローラ２０３は、ＩＰネットワークと接続する。なお、ＬＡＮコントローラ１１３とＬＡＮコントローラ２０３とは、互いに１つのＩＰアドレスを共用することが好ましい。また、ＴＶユニット１０およびＰＣユニット２０において、それぞれ個別のＬＡＮコントローラ１１３、２０３を備えている場合、ＰＣ内蔵のテレビ１の内部においてブリッジ機能を有することが好ましい。これにより、例えば、有線ＬＡＮを接続する場合に、１つのＬＡＮケーブルを挿すだけで、ＴＶユニット１０およびＰＣユニット２０を同時にネットワークに接続させることができる。
【０１０１】
メモリ２０５は、各種制御を行うＣＰＵ２０６のメモリである。
【０１０２】
ＣＰＵ２０６は、ＰＣユニット２０に含まれる各ブロックを統括的に制御する。例えば、圧縮されたＰＣコンテンツをソフトウェア的にデコードして、元のサイズのＰＣコンテンツに変換する。本実施形態において、ＰＣユニット２０は、ＴＶユニット１０におけるデコーダ１０３のようなハードウェアを備えていない。しかしながら、これに限定されるものではなく、例えば、ＰＣユニット２０がデコーダ１０３のようなハードウェアを備えていてもよい。
【０１０３】
グラフィックコントローラ２０７は、映像描画時のグラフィック処理を高速化する。
【０１０４】
映像出力部２０８は、グラフィックコントローラ２０７によって処理された映像信号を出力する。出力される映像信号の形式としては、例えばＨＤＭＩ規格のインターフェースを介して出力可能な形式などを挙げることができる。なお、オーディオ信号も映像信号と同様に、ＴＶユニット１０に出力される。
【０１０５】
記憶部２０９は、インターネット８または記録ディスク７を通じて取得されたＰＣコンテンツを恒久的に記憶する。記憶部２０９としては、例えば、ハードディスク、ＢＤ（Ｂｌｕ−ｒａｙ  Ｄｉｓｃ）、ＤＶＤ（Ｄｉｇｉｔａｌ  Ｖｉｄｅｏ  Ｄｉｓｃ）またはＵＳＢ（Ｕｎｉｖｅｒｓａｌ  Ｓｅｒｉａｌ  Ｂｕｓ）メモリなどが挙げられる。ＣＰＵ２０６は、ネットワークを経由して取得した映像、または記憶部２０９に記憶されている映像を再生し、ＴＶユニット１０に送信する。
【０１０６】
ここで、映像とは、動画に限定されるものではなく、音楽、書籍（テキスト）、写真（静止画像）、スライドショー、ワープロドキュメント、またはゲームなどのアプリケーションが作成する画面が挙げられる。
【０１０７】
（合成映像の生成の詳細）
続いて、本実施形態に係るＰＣ内蔵テレビ１においてＴＶ映像とＰＣ映像とを含む表示用映像（合成映像）を生成する処理の詳細について以下に説明する。なお、本項における各部材の参照符号は、図１または図３に準じるものとする。さらに、本項では、ディスプレイ２において図４（ａ）または図４（ｂ）に示す表示を実現する場合を例に挙げて説明する。図４（ａ）および（ｂ）は、ＰＣ内蔵テレビ１においてＴＶ映像およびＰＣ映像をＰｉｎＰ（ピクチャインピクチャ）の形式でディスプレイに同時表示する一例を示した図であり、（ａ）はＴＶ映像を主映像とし、ＰＣ映像を副映像とする場合であり、（ｂ）はＰＣ映像を主映像とし、ＴＶ映像を副映像とする場合である。
【０１０８】
ここで、いずれを主映像とし、いずれを副映像として視聴するのかは、ユーザーの主観によるものであるが、本実施形態では、表示サイズの最も大きい映像を主映像とし、その他の映像を副映像として説明する。
【０１０９】
まず、ユーザーが、リモコンまたはＰＣ内蔵テレビ１に設けられた所定のボタンを押下すると、ＰＣ内蔵テレビ１は、表示モードをＴＶユニット１０において処理されるＴＶ映像を主映像とし、ＰＣユニット２０において処理されるＰＣ映像を副映像として各映像をディスプレイ２に同時表示するモード（同時表示モード１と称する）に変更する。
【０１１０】
ＰＣ内蔵テレビ１における表示モードが同時表示モード１に変更されると、ＰＣユニット１０における制御部１９は、制御情報通信部１８に対して、ＰＣユニット２０において処理されているＰＣ映像および当該ＰＣ映像の表示サイズを指定するサイズ指定情報を含む表示関連情報の取得要求をＰＣユニット２０に出力するように指示する。指示を受けた制御情報通信部１８は、ＰＣ映像および当該ＰＣ映像の表示関連情報の取得要求をＰＣユニット２０に対して出力する。
【０１１１】
ＰＣユニット２０の制御情報通信部２５がＴＶユニット１０から出力された取得要求を受け付けると、制御部２７は、コンテンツ送信部２３に対して、コンテンツ処理部２１において処理したＰＣ映像をＴＶユニット１０に出力するように指示する。指示を受けたコンテンツ送信部２３は、ＰＣ映像をＴＶユニット１０に対して出力する。
【０１１２】
同時に、制御部２７は、制御情報通信部２５に対して、ＰＣ映像の表示サイズを指定するサイズ指定情報をＴＶユニット１０に出力するように指示する。指示を受けた制御情報通信部２５は、サイズ指定情報をＴＶユニット１０に対して出力する。
【０１１３】
ＴＶユニット１０におけるコンテンツ受信部１６がＰＣ映像を取得し、制御情報通信部１８がサイズ指定情報を受け付けると、制御部１９は、取得したＰＣ映像をサイズ指定情報に基づいてスケーリングした合成用映像と、コンテンツ処理部１３において処理したＴＶ映像とを合成して表示用映像を生成するようにコンテンツ合成部１４に指示する。指示を受けたコンテンツ合成部１４は、取得したＰＣ映像の表示サイズをサイズ指定情報に基づいて縮小処理した合成用映像を生成し、生成した合成用映像をＴＶ映像に合成する。これによって、コンテンツ合成部１４においてディスプレイ２に表示する表示用映像が生成される。
【０１１４】
このとき、表示用映像におけるＰＣ映像の表示位置は、ＴＶユニット１０において予め設定された位置にすればよい。例えば、生成した合成用映像の任意の頂点（例えば、矩形であれば左上の頂点）を配置するディスプレイ上の位置座標を設定しておけばよい。もちろん、サイズ指定情報と共に、ディスプレイ２におけるＰＣ映像２０の表示位置を指定する位置指定情報をＴＶユニット１０に対して出力するようにしてもよい。
【０１１５】
コンテンツ合成部１４における表示用映像の生成をより具体的に説明すると、グラフィックコントローラ１１１が、グラフィックメモリ１１０を利用してＴＶ映像１００を表すデータを書き込んだ第１のプレーンと、ＰＣ映像２００を表すデータを書き込んだ第２のプレーンとを合成することにより表示用映像を生成する。このとき、ＰＣ映像２００を表すデータは、サイズ指定情報により指定される表示サイズとなるように第２のプレーンに書き込まれる。一方、ＴＶ映像１００を表すデータは、変更されることなく第１のプレーンに書き込まれる。
【０１１６】
最後に、コンテンツ合成部１４において生成された表示用映像は、映像出力部１１を介してディスプレイ２に出力される。これにより、ディスプレイ２には、図４（ａ）に示すようなＴＶ映像１００を主映像とし、ＰＣ映像２００を副映像とした映像が表示されることになる。
【０１１７】
なお、サイズ指定情報において指定されるＰＣ映像２００の表示サイズは、予め定められたサイズであってもよいし、リモコン９あるいはマウス５もしくはキーボード６（すなわち、ＰＣ内蔵テレビ１に接続された、あるいは設けられた操作入力デバイス）を介してユーザーにより設定されるサイズであってもよい。
【０１１８】
また、上述した処理では、ＴＶ映像を主映像とし、ＰＣ映像を副映像とする場合を例に挙げて説明しているが、図４（ｂ）に示すように主映像および副映像とする映像が逆であってもよい。すなわち、ＴＶユニット１０において処理されるＴＶ映像を副映像とし、ＰＣユニット２０において処理されるＰＣ映像を主映像としてディスプレイ２に各映像を同時表示する表示モード（同時表示モード２と称する）の場合も、上述した処理とほぼ同様の処理で実現することができる。
【０１１９】
ただし、同時表示モード２を実現する場合には、ＰＣユニット２０から出力されるサイズ指定情報は、ディスプレイ２の表示画面サイズと同一のサイズを指定する情報となる。そして、コンテンツ合成部１４では、ＴＶ映像の表示サイズを所定の表示サイズに縮小する。なお、ＰＣユニット２０は、ディスプレイ２のサイズに関する情報を予め記憶しておいてもよいし、ＴＶユニット１０に接続されているディスプレイ２のサイズをＴＶユニット１０から取得するようにしてもよい。
【０１２０】
このように、ＰＣ内蔵テレビ１は、２つの異なるユニット間の親和性を高め、ＴＶユニット１０を操作することにより両者を連携して動作させ、両ユニットのそれぞれにおいて生成した映像をディスプレイ２に同時表示させることができる。
【０１２１】
（ＰＣ映像２００の表示位置の移動および表示サイズの変更）
ディスプレイ２に表示されるＰＣ映像２００の表示位置および表示サイズは、ＴＶユニット１０の備える操作入力デバイス（例えば、リモコン９）を介したユーザーの設定により適宜変更することができることが好ましい。
【０１２２】
リモコン９を用いてＰＣ映像２００の表示位置および表示サイズを変更する場合、ユーザー入力部１７は、ＰＣ映像２００の表示位置および表示サイズを指定する配置情報をコンテンツ合成部１４に出力する。そして、コンテンツ合成部１４は、配置情報に基づいて、ＰＣユニット２０から取得するＰＣ映像から合成用映像を生成する。そして、生成した合成用映像をＴＶ映像に合成する。これにより、ＰＣ映像２００は、表示用映像において、配置情報により指定される表示位置に、表示されたサイズで表示されることになる。
【０１２３】
すなわち、ＴＶユニット１０側からの操作入力により、ＰＣ映像２００の表示位置または表示サイズが変更されるたびに、コンテンツ合成部１４では新たな表示用映像を生成する。これによって、ＴＶユニット１０側からの操作入力に応じて、ＰＣ映像２００の表示位置および表示サイズを適宜変更することができる。上述したような処理により、例えば、図５に示すように、ＰＣ映像２００の位置を移動させる場合には、ＰＣ映像２００がＡからＢ（あるいはＢからＡ）へと移動させることができる。なお、図５は、ＰＣ映像２００の表示位置の変更および表示サイズの変更を模式的に示す図である。
【０１２４】
このとき、ディスプレイ２上では、ＰＣ映像２００の位置の移動は、ＡからＢへと順次移動するように表示されることが好ましい。また、ＰＣ映像２００の表示サイズを変更する場合には、ＰＣ映像２００のサイズが次第に大きくなるように表示することが好ましい。すなわち、ＴＶユニット１０側からの操作入力により、ＰＣ映像２００を、あたかもＰＣにおけるアプリケーションウィンドウの表示位置を移動させたり、表示サイズを変更したりするように取り扱えるようにすることが好ましい。これは、コンテンツ合成部１４において、移動開始前のＰＣ映像２００の位置から所定のピクセル移動させたＰＣ映像２００を合成した表示用映像を、ＰＣ映像２００の位置がＴＶユニット１０に入力された指定位置に到達するまでの間生成するようにすればよい。
【０１２５】
なお、ＴＶユニット１０の備える操作入力デバイスを介して入力された配置情報については、制御情報通信部１８を介してＰＣユニット２０に出力される。これによって、ＰＣユニット２０側においてＴＶユニット１０側において変更した表示内容（表示位置および表示サイズ）の変更を適用することができる。
【０１２６】
配置情報は、表示位置および表示サイズのいずれか一方の情報を含むものであってもよい。
【０１２７】
もちろん、ディスプレイ２に表示されるＰＣ映像２００の表示位置および表示サイズは、ＰＣユニット２０の備える操作入力デバイス（例えば、マウス５、キーボード６）を用いて変更できるようにしてもよい。この場合、ＰＣ映像２００の表示位置および表示サイズを指定する配置情報が制御情報通信部２５を介してＴＶユニット１０に出力されるようにすればよい。すなわち、ＰＣ映像２００および配置情報が連続的にＴＶユニット１０に出力されるようにすればよい。配置情報は、一定時間毎に出力されるようにしてもよいし、配置情報のパラメータが更新された時に出力されるようにしてもよい。
【０１２８】
（表示用映像の生成の他の例）
上述した表示用映像の生成処理では、ディスプレイ２にＰｉｎＰの形式の映像を表示する場合を例に挙げて説明している。しかし、ＰｉｎＰの形式で映像を表示する場合、当然のことながら、ユーザーは、副映像が重なっている部分の主映像を視聴することができない。そこで、ＰＣ内蔵テレビ１は、主映像と副映像とが重ならないように表示されるＰｏｕｔＰ（ピクチャアウトピクチャ）の形式で映像をディスプレイに同時表示するようにしてもよい。
【０１２９】
この場合、コンテンツ合成部１４は、ＰＣユニット２０から出力されるサイズ指定情報に基づいて、ＴＶユニット１０におけるコンテンツ処理部１３において処理されたＴＶ映像の表示サイズを設定する。より具体的には、コンテンツ合成部１４は、図６（ａ）に示すように、ＰＣユニット２０から取得したＰＣ映像の表示サイズから、ＰＣ映像に重ならないようなＴＶ映像の表示サイズを算出し、算出した表示サイズとなるようにＴＶ映像の表示サイズを縮小する。そして、コンテンツ合成部１４は、縮小したＴＶ映像とサイズ指定情報において指定される表示サイズに縮小したＰＣ映像とを合成して表示用映像を生成する。
【０１３０】
また、ＰｉｎＰの形式の場合と同様に、ＰＣ映像２００を主映像とし、ＴＶ映像１００を副映像とする同時表示モード２であっても同様に処理することにより、ディスプレイ２にＰｏｕｔＰの形式で映像を表示することができる。
【０１３１】
なお、ＰｏｕｔＰの形式で映像を表示する場合のＴＶ映像１００およびＰＣ映像２００の表示サイズについては、ＰｉｎＰの形式の場合と同様に、予め定められたサイズであってもよいし、リモコン９あるいはマウス５もしくはキーボード６を介してユーザーにより設定されたサイズであってもよい。
【０１３２】
なお、図６（ａ）および（ｂ）は、本実施形態に係るＰＣ内蔵テレビ１においてＴＶ映像１００およびＰＣ映像２００をＰｏｕｔＰ形式で同時表示する表示例を示した図であり、（ａ）はＴＶ映像１００を主映像とし、ＰＣ映像２００を副映像とする場合であり、（ｂ）はＰＣ映像２００を主映像とし、ＴＶ映像１００を副映像とする場合である。
【０１３３】
（ＰＣ映像２００上の一部領域を表示）
上述した表示用映像の生成処理では、ディスプレイ２にＰＣ映像全体を表示する場合を例に挙げて説明しているが、これに限定されるものではない。すなわち、ＰＣ内蔵テレビ１では、ＰＣ映像上の一部領域のみを表示するような表示用映像を生成してもよい。本項では、図７を参照しつつ、ＰＣ映像上の一部領域のみを表示する表示用映像の生成処理について以下に説明する。
【０１３４】
ＰＣ映像上の一部領域に示される映像を含む表示用映像を生成する場合には、ＰＣユニット２０からＴＶユニット１０へ出力される表示関連情報が、表示用映像において表示するＰＣ映像上の領域を指定する領域指定情報を含む。
【０１３５】
領域指定情報としては、ＴＶユニット１０がＰＣユニット２０から取得したＰＣ映像上の領域を指定することができる情報であれば特に限定されるものではない。例えば、ＰＣ映像上の領域を矩形領域として指定する場合には、矩形領域のいずれか１点の位置座標（例えば、左上の点の位置座標）と縦および横方向の長さとを指定する情報であればよい。ＰＣ映像上の領域を円形領域として指定する場合には、円形領域の中心となる点の位置座標と半径（あるいは直径）の長さとを指定すル情報であればよい。すなわち、領域指定情報は、ＰＣ映像上の領域において、ｎ角形を一意に決定することができるような情報であればどのような形式の情報であってもよい。
【０１３６】
ＴＶユニット１０におけるコンテンツ合成部１４は、ＰＣユニット２０から受け付けた領域指定情報により指定されるＰＣ映像上の領域であるＰＣ映像２００ａおよびＰＣ映像２００ｂを切り出して合成用映像を生成する。そして、生成した合成用映像であるＰＣ映像２００ａおよびＰＣ映像２００ｂをＴＶ映像に合成して表示用映像を生成する。生成した表示用映像をディスプレイ２に対して出力することにより、ディスプレイ２には、図７に示すような映像が表示される。
【０１３７】
図７に示すように、領域指定情報により指定されるＰＣ映像上の領域は、１つに限定されるものではなく、複数であってもよい。なお、図７では、時計およびニュース情報をＴＶ映像２００ａおよび２００ｂとして生成する場合を例に挙げて説明しているが、もちろんこれに限定されるものではない。表示用映像におけるＴＶ映像として指定される領域は、ユーザーが適宜設定するようにしてもよいが、ＰＣユニット２０が実行しているアプリケーションに応じて自動的に設定してもよい。例えば、時計ツールをＴＶ映像として表示する場合、ユーザーが予め時計ツールをＴＶ映像として表示することを指定しておけば、ＰＣユニット２０は、自ユニットにおいて生成した映像上において、時計ツールが表示されている領域を指定する領域指定情報を自動的に設定するようにしてもよい。
【０１３８】
また、ＰＣ映像から切り出されたＰＣ領域２００ａおよびＰＣ領域２００ｂの表示位置および表示サイズは、ＰＣ映像上での表示位置および表示サイズと同一とすればよい。もちろん、上述した領域指定情報に加えて領域指定情報により指定される領域の表示位置および表示サイズを指定する配置情報を含む表示関連情報を、ＴＶユニット１０に対して出力するようにしてもよい。この場合には、切り出した領域を配置情報により指定される表示位置に、指定される表示サイズで表示した表示用映像を生成することができる。なお、領域指定情報により指定される指定領域が複数ある場合には、表示関連情報は、それぞれの指定領域に対する配置情報を含むことが好ましい。
【０１３９】
なお、領域指定情報は、予め設定された領域を指定する情報であってもよいし、リモコン９あるいはマウス５もしくはキーボード６を介してユーザーにより設定された領域を指定する情報であってもよい。
【０１４０】
（アクティブなウィンドウに重ならないようにＴＶ映像を表示）
次に、ＰＣ映像２００を主映像とし、ＴＶ映像１００を副映像としたとき（すなわち、同時表示モード２としたとき）に、ＰＣユニット２０において実行されているアプリケーションにより表示されるウィンドウにＴＶ映像１００が重ならないような表示用映像の生成について図８（ａ）および（ｂ）ならびに図９（ａ）および（ｂ）を参照しつつ、以下に説明する。
【０１４１】
図８（ａ）および（ｂ）は、アクティブなウィンドウに重ならないようにＴＶ映像を表示する場合の一例を示した図であり、（ａ）はアクティブなウィンドウの変更を示す図であり、（ｂ）はＴＶ映像の表示位置の移動を示す図である。また、図９（ａ）および（ｂ）は、アクティブなウィンドウに重ならないようにＴＶ映像を表示する場合の他の例を示した図であり、（ａ）はアクティブなウィンドウの変更を示す図であり、（ｂ）はＴＶ映像の表示位置の移動を示す図である。
【０１４２】
図８（ａ）では、ＰＣ映像２００において、アプリケーション実行部２８において実行されているアプリケーションの表示するウィンドウ２５０ａおよびウィンドウ２５０ｂが表示されている。また、ＴＶユニット１０において生成されるＴＶ映像１００がＰｉｎＰの形式でディスプレイ２に表示されている。このとき、リモコン９あるいはマウス５もしくはキーボード６を介したユーザー操作により、アクティブなウィンドウ（ユーザーの指定したウィンドウ）をウィンドウ２５０ａからウィンドウ２５０ｂに変更すると、ＴＶ映像１００がウィンドウ２５０ｂの背後に移動してしまうため、ユーザーがＴＶ映像１００を視聴することができなくなる。
【０１４３】
この場合、ＰＣ内蔵テレビ１は、ＴＶ映像１００がアプリケーションウィンドウの背後に隠れるような場合に、ＴＶ映像１００をアプリケーションウィンドウにより隠れない位置に移動させる。
【０１４４】
より具体的に説明すると、図８（ａ）に示すように、ユーザー操作によりアクティブなウィンドウがウィンドウ２５０ａからウィンドウ２５０ｂに変更されると、制御部２７は新たにアクディブなウィンドウとして設定されたウィンドウ２５０ｂのウィンドウ情報をＴＶユニット１０に対して出力するように、制御情報通信部２５に対して指示する。このとき出力される。ここで、ウィンドウ情報とは、ウィンドウ２５０ｂの表示位置および表示サイズを含む情報である。
【０１４５】
制御情報通信部１８が制御情報通信部２５から出力されるウィンドウ情報を受け付けると、制御部１９は、ＴＶ映像１００の表示位置をウィンドウ２５０ｂの表示されていない領域に表示させるようにコンテンツ合成部１４に対して指示する。
【０１４６】
指示を受けたコンテンツ合成部１４は、制御情報通信部１８において受け付けたウィンドウ情報に含まれるウィンドウ２５０ｂの表示位置および表示サイズに基づいて、ＰＣ映像２００上の領域においてウィンドウ２５０ｂの表示されていない領域を検出する。そして検出した領域にＴＶ映像１００が配置されるようにＴＶ映像１００の表示位置を設定し、ＴＶ映像１００を、設定した表示位置に、所定の表示サイズで表示した表示用映像を生成する。なお、移動させるＴＶ映像１００の表示サイズは、変更しなくてもよいし、移動先の領域のサイズに応じて適宜変更するようにしてもよい。
【０１４７】
これによって、図８（ｂ）に示すように、アクティブなウィンドウをウィンドウ２５０ｂに変更した時に、ウィンドウ２５０ｂの背後に隠れてしまうＴＶ映像１００をウィンドウ２５０ｂの表示されていない領域に移動させることができる。
【０１４８】
なお、上記の説明では、ＰＣ映像２００上のウィンドウが表示されていない領域にＴＶ映像１００を移動させる場合を例に挙げて説明しているが、もちろんこれに限定されるものではない。例えば、図９（ａ）に示すように、アクティブなウィンドウがウィンドウ２５０ａからウィンドウ２５０ｂに変更されたときに、ＰＣ映像２００上においてＴＶ映像１００を移動させる領域が確保できない場合には、アクティブなウィンドウとして設定されているウィンドウ２５０ｂ以外のウィンドウにＴＶ映像１００を重ねるようにしてもよい。
【０１４９】
すなわち、図９（ｂ）に示すように、アクティブなウィンドウとして設定されていないウィンドウであるウィンドウ２５０ｃの表示されている領域にＴＶ映像１００を移動させるようにすればよい。このとき、ウィンドウ２５０ｃは、図９（ｂ）に示すように、アクティブなウィンドウ２５０ｂの背後に移動させるようにしてもよいし、表示位置を変更することなく、移動させたＴＶ映像１００の背後になるようにしてもよい。
【０１５０】
（メニュー項目の表示）
ＰＣ内蔵テレビ１においてディスプレイ２に表示する映像は、ＴＶ映像１００およびＰＣ映像２００以外に、ディスプレイ２における表示形態の変更を実行する命令を表すメニュー項目を表示するメニュー映像３００を含むようにしてもよい。メニュー映像３００に示されるメニュー項目としては、例えば、ＰＣ映像２００の全画面表示（ＰＣモード）とする項目、ＴＶ映像１００の全画面表示（ＴＶモード）とする項目、ＴＶ映像１００を主映像とし、ＰＣ映像２００を副映像（同時表示モード１）とする項目、ＴＶ映像１００を副映像とし、ＰＣ映像２００を主映像（同時表示モード２）とする項目などを挙げることができる。
【０１５１】
また、同時表示モード１または同時表示モード２で表示している場合には、ＰｉｎＰの形式での表示とする項目およびＰｏｕｔＰの形式での表示とする項目をメニュー項目として表示するようにしてもよい。また、ＰＣ映像１００の表示位置を上下左右に移動させる項目も表示するようにしてもよい。
【０１５２】
メニュー映像３００は、コンテンツ処理部１３において、予めＴＶユニット１０に記録されているメニュー項目作成情報に基づいて生成されることが好ましい。
【０１５３】
そして、ユーザー操作により、メニュー映像３００に表示されているメニュー項目が選択されると、選択されたメニュー項目に該当する命令が実行される。
【０１５４】
例えば、メニュー映像３００に表示されている「同時表示モード２」を実行するメニュー項目が選択された場合（図１０（ａ））、ＴＶユニット１０は、制御情報通信部１８を介してＰＣユニット２０に対して表示形態を同時表示モード２とすることを通知すると共に、表示用映像に含まれるＰＣ映像およびサイズ指定情報の取得要求をＰＣユニット２０に対して出力する。そして、通知および取得要求を受けたＰＣユニット２０から出力されるＰＣ映像２００のサイズ指定情報に基づいて、上述したようにコンテンツ合成部１４が表示用映像を生成する。コンテンツ合成部１４において生成された表示用映像は、ディスプレイ２に出力され、ディスプレイ２において図１０（ｂ）に示すように表示される。
【０１５５】
なお、図１０（ａ）および（ｂ）は、ＴＶ映像１００、ＰＣ映像２００およびメニュー映像３００を表示する一例を示す図であり、（ａ）はメニュー映像３００に表示されているメニュー項目の選択を示し、（ｂ）はメニュー項目の選択により表示が変更された状態を示す。
【０１５６】
（各モードの切り替え）
ここで、ＰＣ内蔵テレビ１における表示モードについて説明する。ＰＣ内蔵テレビ１における表示モードとしては、「メニュー項目の表示」の項においても記載したように、大別して、ＰＣモード、ＴＶモード、同時表示モード１および同時表示モード２の４つのモードがある。これらの各モードの表示例を図１１（ａ）〜（ｄ）に示す。図１１（ａ）〜（ｄ）は、ＰＣ内蔵テレビ１における各表示モードでの表示例を示す図であり、（ａ）はＴＶモードを示す図であり、（ｂ）は同時表示モード１を示す図であり、（ｃ）は同時表示モード２を示す図であり、（ｄ）はＰＣモードを示す図である。
【０１５７】
図１１（ａ）は、ＴＶ映像１００のみがディスプレイ２の全面に表示されている表示形態であるＴＶモードを示している。このとき、ユーザがリモコン９に設けられた「ＰＣボタン」を押下することにより、図１１（ａ）に示す表示形態が図１１（ｂ）に示した表示形態に切り替わる。図１１（ｂ）では、ＴＶ映像１００が主映像として表示されており、ＰＣ映像２００が副映像として表示されている表示形態である同時表示モード１を示している。この場合、ユーザは、ＴＶユニット１０によって再生されるＴＶコンテンツ（放送番組）の視聴を中心にＰＣ内蔵テレビ１を使用し、ＰＣコンテンツは補助的に視聴するのが一般的である。
【０１５８】
図１１（ｂ）に示した表示形態で表示用映像がディスプレイ２に表示されているときに、ユーザがリモコン９に設けられた「ＰＣボタン」を押下することにより、図１１（ｂ）に示した表示形態が図１１（ｃ）に示した表示形態に切り替わる。図１１（ｃ）では、図１１（ｂ）とは異なり、ＴＶ映像１００が副映像として表示され、ＰＣ映像２００が主映像として表示されている表示形態である同時表示モード２を示している。この場合ユーザは、ＰＣコンテンツの視聴を中心にＰＣ内蔵テレビ１を使用し、ＴＶコンテンツは補助的に視聴するのが一般的である。
【０１５９】
図１１（ｃ）に示した表示形態で表示映像がディスプレイ２に表示されているときに、ユーザがリモコン９に設けられた「ＰＣボタン」を押下することにより、図１１（ｃ）に示した表示形態が図１１（ｄ）に示した表示形態に切り替わる。すなわち、ＰＣ映像２００のみがディスプレイ２に全体に表示される表示形態であるＰＣモードに切り替わる。
【０１６０】
また、ユーザがリモコン９に設けられた「戻るボタン」を押下する場合は、ディスプレイ２において表示する表示形態の遷移が逆になる。例えば、図１１（ｄ）に示す表示がディスプレイ２に表示されているときに、ユーザーが「戻るボタン」が押下すると、ディスプレイ２に表示される表示形態が図１１（ｃ）に示す表示形態に切り替わる。
【０１６１】
さらに、図１１（ｃ）または図１１（ｄ）に示す表示がディスプレイ２に表示されているときに、メニュー映像３００に表示されているメニュー項目を選択することにより、ユーザーが「ＰＣボタン」または「戻るボタン」を押下した場合と同様の処理が実行される。例えば、ユーザーが「ＴＶモード」のメニュー項目を選択した場合には、表示形態が図１１（ａ）に示す表示形態に切り替わり、「ＰＣモード」のメニュー項目を選択した場合には、表示形態が図１１（ｄ）に示す表示形態に切り替わる。また、ユーザーが「ＰｉｎＰ」のメニュー項目を選択した場合には、表示形態がＰｉｎＰ形式の表示形態に切り替わり、「ＰｏｕｔＰ」のメニュー項目を選択した場合には、表示形態がＰｉｎＰ形式の表示形態に切り替わる。
【０１６２】
また、同時表示モード１または同時表示モード２の表示形態の場合には、メニュー項目として副映像の移動項目を表示するようにしてもよい。すなわち、ユーザーが「上移動」を指定するメニュー項目を選択すると、副映像の表示位置を上方向に移動させることができる。
【０１６３】
（ＰＣユニットから出力される情報に基づいてＴＶ映像を生成して表示）
次に、ＰＣ内蔵テレビ１をＰＣモードで動作中に、ＴＶユニット１０に関連するコンテンツを取得したとき、取得状況を示す映像をディスプレイ２に表示する態様について、図１２（ａ）および（ｂ）を参照しつつ以下に説明する。図１２（ａ）および（ｂ）は、ＰＣ映像とＴＶ映像とをディスプレイに同時表示する場合の一例を示す図であり、（ａ）はＰＣユニット２０から出力される情報から生成したＴＶ映像１００ｂをＰＣ映像２００と同時表示する図であり、（ｂ）はＴＶ映像１００を主映像とし、ＰＣ映像２００を副映像として同時表示する図である。
【０１６４】
ＰＣ内蔵テレビ１をＰＣモードにおいて動作させているときに、コンテンツ取得部２２がＴＶユニット１０に関連する関連コンテンツを取得すると、制御部２７は、制御情報通信部２５を介して関連コンテンツを取得中であることを示すデータ取得情報をＴＶユニット１０に出力する。
【０１６５】
制御情報通信部１８がデータ取得情報を受け付けると、制御部１９は、受け付けたデータ取得情報に基づいたＴＶ映像１００ｂを生成するようにコンテンツ処理部１３に指示する。指示を受けたコンテンツ処理部１３は、データ取得情報に基づいてＴＶ映像１００ｂを生成する。コンテンツ合成部１４は、生成したＴＶ映像１００ｂをＰＣ映像２００に合成することにより表示用映像を生成する。このとき、ＴＶ映像１００ｂは、表示用映像において、所定の表示サイズで所定の位置に配置される。
【０１６６】
最後に、映像出力部１１は、生成した表示用映像をディスプレイ２に出力する。これによって、ディスプレイ２には、図１２（ａ）に示す表示画面が表示されることになる。
【０１６７】
なお、データ取得情報が関連コンテンツの取得状況を示す情報を含む場合には、図１２（ａ）におけるＴＶ映像１００ｂに示すように関連コンテンツの取得状況を表す棒グラフ（バー）を表示するようにしてもよい。
【０１６８】
また、ＴＶユニット１０に関連する関連コンテンツとしては、例えば、ＴＶユニット１０のファームウェア、電子番組表データおよびＴＶユニット１０の操作ガイド（ヘルプ情報）などを挙げることができる。
【０１６９】
また、ユーザーが同時表示モード２への切り替えを指示している場合には、関連コンテンツの取得が完了すると共に、図１２（ｂ）に示すように、ＴＶ映像１００を主映像とし、ＰＣ映像２００を副映像とする表示形態に切り替えるようにしてもよい。
【０１７０】
（付記事項）
本発明に係るＰＣ内蔵テレビは、ＰＣユニットがＰＣ内蔵テレビから着脱可能な構成であってもよい。ＰＣユニットがＰＣ内蔵テレビから着脱可能なＰＣ内蔵テレビについて図１３（ａ）および（ｂ）ならびに図１４を参照しつつ以下に説明する。
【０１７１】
図１３（ａ）および（ｂ）は、ＰＣ内蔵テレビ１ａの外観を示す図であり、（ａ）は、着脱可能なＰＣユニット２０ａがＴＶユニット１０ａに装着された後のＰＣ内蔵テレビ１ａを表示画面側から見た場合の外観を示す図であり、（ｂ）は、着脱可能なＰＣユニット２０ａがＴＶユニット１０ａに装着される前のＰＣ内蔵テレビ１ａを背面側から見た場合の外観を示す図である。
【０１７２】
この図に示すように、ＰＣ内蔵テレビ１ａは、ＴＶユニット１０ａおよびＰＣユニット２０ａによって構成されている。この点においては、ＰＣ内蔵テレビ１と何ら変わりはない。しかし、ＰＣ内蔵テレビ１ａでは、ＰＣユニット２０ａがＰＣ内蔵テレビ１ａから着脱可能である。したがって、ＰＣ内蔵テレビ１の拡張性および保守性を高めることができる。なお、装着を解除した後、ＴＶユニット１０ａおよびＰＣユニット２０ａは、それぞれ単独で利用することができる。
【０１７３】
ＰＣユニット２０ａには、図１３（ａ）に示すように、複数の外部端子３０〜３２が設けられている。外部端子３０〜３２としては、具体的には、イーサネット（登録商標）端子、ＵＳＢ端子、および映像／音声入出力端子などを挙げることができる。また、図１３（ｂ）に示すように、ＰＣユニット２０ａには、ＴＶユニット１０ａと信号をやり取りするための外部端子３３〜３５も設けられている。外部端子３３〜３５としては、具体的には、映像信号（ＨＤＭＩ信号を含むＳＤＶＯ：Ｓｅｒｉａｌ  Ｄｉｇｉｔａｌ  Ｖｉｄｅｏ  ＯｕｔＰｕｔ）端子、制御信号端子、および電源端子などを挙げることができる。これらの端子があることによって、ＰＣユニット２０ａとＴＶユニット１０ａとの間で、映像信号、制御信号、および電源信号を互いに送受信できる。なお、上述した端子に加えて音声信号端子を設け、音声信号を互いに送受信することも当然に可能である。
【０１７４】
ＰＣユニット２０ａは単体で動作可能であり、製品として成り立つ。回路および配線はＰＣユニット２０ａの内部に全て収められ、外部には一切むき出しにされていない。ＴＶユニット１０ａも同様である。したがって両者の接続時に配線の手間が一切不要である。すなわち、ＰＣユニット２０ａをＴＶユニット１０ａに取り付ける場合には、ユーザーはＰＣユニット２０ａをＴＶユニット１０ａに設けられているＰＣユニット装着部位に取り付ければよい。ＰＣ内蔵テレビ１ａでは、ＰＣユニット２０ａをＴＶユニット１０ａに装着する手順が非常に容易であると換言することができる。
【０１７５】
ＰＣ内蔵テレビ１ａから外したＰＣユニット２０ａは、周辺機器に接続させることによって、様々な用途に活用できる。たとえば、モニタと接続可能なクレードルに、取り外したＰＣユニット２０ａを装着する。こうすれば、ＰＣユニット２０ａをデスクトップコンピュータとして使用できる。なお、ＰＣユニット２０ａとクレードルとを接続する端子としては、他にもイーサネット（登録商標）端子、およびシリアルポート端子を利用することができる。
【０１７６】
図１４は、ＰＣ内蔵テレビ１ａの要部構成を示すブロック図である。この図に示すように、ＴＶユニット１０ａのコンテンツ取得部１５は、アンテナ４を通じての他、記録ディスク７からも、インターネット８を通じてからも、また外部機器（外部記憶装置）１６０からも、再生対象のコンテンツを取得できる。すなわち、ＴＶユニット１０ａが処理するコンテンツは、放送番組に限らず、たとえばテキスト、映像、音声、動画等のコンテンツも該当し、さらにこれらの組み合わせからなるマルチメディアコンテンツも該当する。他にも、ウェブページも含まれる。
【０１７７】
以上のように、ＰＣユニット２０ａは周辺機器を活用した拡張性を有しており、従来の汎用コンピュータに比べて活用の幅が広い。また、仮にＰＣユニット２０ａをＴＶユニット１０ａから離脱させた状態でも、あるいはＰＣユニット２０ａが故障した場合でも、ＴＶユニット１０ａ単独で、放送番組および各種のコンテンツを外部から取得することができる。
【０１７８】
また、ＰＣ内蔵テレビ１を構成するＰＣユニット２０は１つに限定されるものではなく、複数であってもよい。本発明に係る映像表示装置における第２の映像生成ユニットが、ＰＣユニットである場合を例に挙げて説明しているが、これに限定されるものではない。第２の映像生成ユニットとしては、ＰＣユニット以外にも例えば、光ディスク再生（録画）ユニット、およびハードディスクレコーダユニットであってもよい。また、本発明に係る映像表示装置において第２の映像生成ユニットが複数備えられている場合には、第２の映像生成ユニットが互いに異なる種類のユニットであってもよい。
【０１７９】
（プログラムおよび記録媒体）
最後に、ＰＣ内蔵テレビ１を構成するＴＶユニット１０およびＰＣユニット２０に含まれる各ブロックは、ハードウェアロジックによって構成すればよい。または、次のように、ＣＰＵ（Ｃｅｎｔｒａｌ  Ｐｒｏｃｅｓｓｉｎｇ  Ｕｎｉｔ）を用いてソフトウェアによって実現してもよい。
【０１８０】
すなわちＴＶユニット１０およびＰＣユニット２０は、各機能を実現するプログラムの命令を実行するＣＰＵ、このプログラムを格納したＲＯＭ（Ｒｅａｄ  Ｏｎｌｙ  Ｍｅｍｏｒｙ）、上記プログラムを実行可能な形式に展開するＲＡＭ（Ｒａｎｄｏｍ  Ａｃｃｅｓｓ  Ｍｅｍｏｒｙ）、および、上記プログラムおよび各種データを格納するメモリ等の記憶装置（記録媒体）を備えている。この構成により、本発明の目的は、所定の記録媒体によっても、達成できる。
【０１８１】
この記録媒体は、上述した機能を実現するソフトウェアであるＴＶユニット１０およびＰＣユニット２０のプログラムのプログラムコード（実行形式プログラム、中間コードプログラム、ソースプログラム）をコンピュータで読み取り可能に記録していればよい。ＴＶユニット１０およびＰＣユニット２０に、この記録媒体を供給する。これにより、コンピュータとしてのＴＶユニット１０およびＰＣユニット２０（またはＣＰＵやＭＰＵ）が、供給された記録媒体に記録されているプログラムコードを読み出し、実行すればよい。
【０１８２】
プログラムコードをＴＶユニット１０およびＰＣユニット２０に供給する記録媒体は、特定の構造または種類のものに限定されない。すなわちこの記録媒体は、たとえば、磁気テープやカセットテープ等のテープ系、フロッピー（登録商標）ディスク／ハードディスク等の磁気ディスクやＣＤ−ＲＯＭ／ＭＯ／ＭＤ／ＤＶＤ／ＣＤ−Ｒ等の光ディスクを含むディスク系、ＩＣカード（メモリカードを含む）／光カード等のカード系、あるいはマスクＲＯＭ／ＥＰＲＯＭ／ＥＥＰＲＯＭ／フラッシュＲＯＭ等の半導体メモリ系などとすることができる。
【０１８３】
また、ＴＶユニット１０およびＰＣユニット２０を通信ネットワークと接続可能に構成しても、本発明の目的を達成できる。この場合、上記のプログラムコードを、通信ネットワークを介してＴＶユニット１０およびＰＣユニット２０に供給する。この通信ネットワークはＴＶユニット１０およびＰＣユニット２０にプログラムコードを供給できるものであればよく、特定の種類または形態に限定されない。たとえばインターネット、イントラネット、エキストラネット、ＬＡＮ、ＩＳＤＮ、ＶＡＮ、ＣＡＴＶ通信網、仮想専用網（Ｖｉｒｔｕａｌ  Ｐｒｉｖａｔｅ  Ｎｅｔｗｏｒｋ）、電話回線網、移動体通信網、衛星通信網等であればよい。
【０１８４】
この通信ネットワークを構成する伝送媒体も、プログラムコードを伝送可能な任意の媒体であればよく、特定の構成または種類のものに限定されない。たとえばＩＥＥＥ１３９４、ＵＳＢ（Ｕｎｉｖｅｒｓａｌ  Ｓｅｒｉａｌ  Ｂｕｓ）、電力線搬送、ケーブルＴＶ回線、電話線、ＡＤＳＬ（Ａｓｙｍｍｅｔｒｉｃ  Ｄｉｇｉｔａｌ  Ｓｕｂｓｃｒｉｂｅｒ  Ｌｉｎｅ）回線等の有線でも、ＩｒＤＡやリモコンのような赤外線、Ｂｌｕｅｔｏｏｔｈ（登録商標）、８０２．１１無線、ＨＤＲ、携帯電話網、衛星回線、地上波デジタル網等の無線でも利用可能である。なお本発明は、上記プログラムコードが電子的な伝送で具現化された、搬送波に埋め込まれたコンピュータデータ信号の形態でも実現され得る。
【０１８５】
なお、ＰＣ内蔵テレビ１ａを構成する各ブロックにおいても同様である。
【産業上の利用可能性】
【０１８６】
本発明に係る映像表示装置は、ＰＣユニットを内蔵したテレビジョン受像機として好適に利用することができる。より具体的には、ＰＣユニットとＴＶユニットとが協働することにより、双方のユニットのそれぞれにおいて生成した映像を単一の表示装置に同時表示することができるテレビジョン受像機として好適に利用することができる。
【符号の説明】
【０１８７】
１      ＰＣ内蔵テレビ（映像表示装置）
１ａ    ＰＣ内蔵テレビ（映像表示装置）
２      ディスプレイ（表示部）
３      スピーカ
４      アンテナ
５      マウス
６      キーボード
７      記録ディスク
８      インターネット
９      リモコン
１０    ＴＶユニット（第１の映像生成ユニット）
１０ａ  ＴＶユニット（第１の映像生成ユニット）
１１    映像出力部（表示制御手段）
１２    音声出力部
１３    コンテンツ処理部
１４    コンテンツ合成部（生成手段）
１５    コンテンツ取得部
１６    コンテンツ受信部（映像取得手段）
１７    ユーザ入力部
１８    制御情報通信部（通信手段）
１９    制御部
２０    ＰＣユニット（第２の映像生成ユニット）
２０ａ  ＰＣユニット（第２の映像生成ユニット）
２１    コンテンツ処理部
２２    コンテンツ取得部（コンテンツ取得手段）
２３    コンテンツ送信部（映像送信手段）
２４    記憶部
２５    制御情報通信部（通信手段）
２６    ユーザ入力部
２７    制御部
２８    アプリケーション実行部（実行手段）
【図１】
2010258707.tif 000003
【図２】
2010258707.tif 000004
【図３】
2010258707.tif 000005
【図４】
2010258707.tif 000006
【図５】
2010258707.tif 000007
【図６】
2010258707.tif 000008
【図７】
2010258707.tif 000009
【図８】
2010258707.tif 000010
【図９】
2010258707.tif 000011
【図１０】
2010258707.tif 000012
【図１１】
2010258707.tif 000013
【図１２】
2010258707.tif 000014
【図１３】
2010258707.tif 000015
【図１４】
2010258707.tif 000016